(57)【要約】【課題】ブラシを仮保持するための別部材を不要としつつも、圧縮コイルスプリングの付勢力をピッグテールに作用させることなくブラシを退避位置に仮保持することが可能なブラシ装置及びモータを提供する。【解決手段】圧縮コイルスプリング４３はそのコイル部４３ａの外周側に延出形成された延出部４３ｂを有し、ブラシ保持部を構成するブラシボックス３２の側壁３３（周壁）には、ブラシボックス３２の内部側から外部側にかけて貫通し、ブラシ４１が整流子２３と非接触となる退避位置にある状態で圧縮コイルスプリング４３をブラシ４１に対して非付勢状態とすべく延出部４３ｂと係止可能な係止孔５２が形成される。【選択図】図４
2009219279.tif 000002
【特許請求の範囲】
【請求項１】
整流子の径方向外側に配置される筒状のブラシ保持部と、
前記整流子に対する方向に進退可能に前記ブラシ保持部に収容されるブラシと、
前記ブラシ保持部に収容され前記ブラシを前記整流子に押圧接触させるべく該ブラシを付勢する圧縮コイルスプリングと
を備えたブラシ装置であって、
前記圧縮コイルスプリングは、そのコイル部の外周側に延出形成された延出部を有し、
前記ブラシ保持部の周壁には、
前記ブラシ保持部の内部側から外部側にかけて貫通し、前記ブラシが前記整流子と非接触となる退避位置にある状態で前記圧縮コイルスプリングを前記ブラシに対して非付勢状態とすべく前記延出部と係止可能な係止孔と、
前記ブラシ保持部の内部側から外部側にかけて貫通するとともに前記係止孔と連続して前記整流子側に向けて延び、前記延出部が前記係止孔から移動されることで前記圧縮コイルスプリングの前記非付勢状態を解除する解除孔と
が形成されたことを特徴とするモータのブラシ装置。
【請求項２】
請求項１に記載のモータのブラシ装置において、
前記延出部は、前記圧縮コイルスプリングのブラシ側端部が前記コイル部の外周側に延出形成されてなることを特徴とするモータのブラシ装置。
【請求項３】
請求項１又は２に記載のモータのブラシ装置において、
前記延出部は、前記コイル部の外周側に延出するブラシ側端部が内周方向に曲げ戻されて前記ブラシの側面と押圧接触するように形成された押圧部を有することを特徴とするモータのブラシ装置。
【請求項４】
請求項１〜３のいずれか１項に記載のモータのブラシ装置において、
前記解除孔には、前記延出部と前記圧縮コイルスプリングの付勢方向に当接することでそれ以上の前記圧縮コイルスプリングの伸張を規制する規制部が形成されたことを特徴とするモータのブラシ装置。
【請求項５】
請求項１〜４のいずれか１項に記載のブラシ装置を有し、該ブラシ装置のブラシが電機子の整流子に摺接して駆動電源が供給され、該駆動電源の供給に基づいて前記電機子が回転駆動されるように構成されたことを特徴とするモータ。
【発明の詳細な説明】
【技術分野】
【０００１】
本発明は、圧縮コイルスプリングの付勢力によりブラシをモータの整流子に押圧接触させるブラシ装置、及びそのブラシ装置を備えたモータに関するものである。
【背景技術】
【０００２】
従来、この種のモータのブラシ装置は、整流子の径方向外側に配置される筒状のブラシ保持部と、整流子に対する方向に進退可能となるようにブラシ保持部に収容されるブラシと、ブラシ保持部に収容されブラシを整流子に押圧接触させるべく該ブラシを付勢する圧縮コイルスプリングとを備えている。このようなブラシ装置では、整流子の外周側にブラシ保持部を配置する組み付けの際、圧縮コイルスプリングの付勢力によってブラシ保持部から突出する方向に付勢されたブラシを、整流子と干渉しないような退避位置に一時的に仮保持する必要がある。
【０００３】
このようなブラシを仮保持する構成として、例えば特許文献１に示すものでは、ブラシから延びる給電用のピッグテールを、ブラシ保持部を支持するベースプレートの係止ピンに係止させることで、圧縮コイルスプリングの付勢力に抗してブラシを退避位置に仮保持することが可能となっている。
【０００４】
また、例えば特許文献２に示すものでは、圧縮コイルスプリングをブラシが退避位置にある状態でそのブラシに対し非付勢状態とすべく、該スプリングを圧縮状態で保持するためのストッパ部材を別途用いている。このブラシ装置の組み付けでは、ブラシが収容されたブラシ保持部の先端側に整流子を配置した後、スプリングを圧縮状態で保持するストッパ部材をブラシ保持部の開口基端部に押し込む。これにより、ストッパ部材によるスプリングの圧縮保持が解除され、ブラシが整流子の外周面に押圧接触するようになっている。
【特許文献１】実開平５−７０１５３号公報
【特許文献２】特開２００２−５１５０９号公報
【発明の開示】
【発明が解決しようとする課題】
【０００５】
しかしながら、上記特許文献１のようなブラシ装置では、ブラシの仮保持状態において圧縮コイルスプリングの付勢力がピッグテールに作用するため、ピッグテールへの負担が大きく、ピッグテールが損傷したりブラシから抜け出てしまったりする虞があった。ピッグテールには銅よりなる多数の細線を撚り線にしたものが一般に用いられるということもあり、ブラシの仮保持の際にスプリングの付勢力がピッグテールに作用する構造は好適なものではなかった。
【０００６】
また、上記特許文献２のようなブラシ装置では、ブラシの仮保持の際に圧縮コイルスプリングの付勢力がピッグテールに作用する構造ではないため、ピッグテールの損傷等が抑制されてはいるが、ストッパ部材を別途必要とするため部品点数の増加を招いてしまう。また、このようなブラシ装置において、ストッパ部材がブラシボックスの径方向外側に張り出す構造の場合では、ブラシ装置、ひいてはモータが大型化するといった問題があった。
【０００７】
本発明は、上記課題を解決するためになされたものであって、その目的は、ブラシを仮保持するための別部材を不要としつつも、圧縮コイルスプリングの付勢力をピッグテールに作用させることなくブラシを退避位置に仮保持することが可能なブラシ装置及びモータを提供することにある。
【課題を解決するための手段】
【０００８】
上記課題を解決するために、請求項１に記載の発明は、整流子の径方向外側に配置される筒状のブラシ保持部と、前記整流子に対する方向に進退可能に前記ブラシ保持部に収容されるブラシと、前記ブラシ保持部に収容され前記ブラシを前記整流子に押圧接触させるべく該ブラシを付勢する圧縮コイルスプリングとを備えたブラシ装置であって、前記圧縮コイルスプリングは、そのコイル部の外周側に延出形成された延出部を有し、前記ブラシ保持部の周壁には、前記ブラシ保持部の内部側から外部側にかけて貫通し、前記ブラシが前記整流子と非接触となる退避位置にある状態で前記圧縮コイルスプリングを前記ブラシに対して非付勢状態とすべく前記延出部と係止可能な係止孔と、前記ブラシ保持部の内部側から外部側にかけて貫通するとともに前記係止孔と連続して前記整流子側に向けて延び、前記延出部が前記係止孔から移動されることで前記圧縮コイルスプリングの前記非付勢状態を解除する解除孔とが形成されたことをその要旨とする。
【０００９】
この発明では、組み付けの際、ブラシ保持部内の圧縮コイルスプリング自体の延出部をブラシ保持部の係止孔に係止させることで、該スプリングを同ブラシ保持部内のブラシに対して非付勢状態としてブラシを退避位置に仮保持することが可能となる。これにより、ブラシを仮保持するための別部材が不要となるため、部品点数の増加を抑えることができ、また、ブラシ装置の径方向の大型化を防ぐことが可能となる。また、ピッグテールを圧縮コイルスプリングの付勢力に抗して係止させてブラシを仮保持する構成等ではないため、圧縮コイルスプリングの付勢力をピッグテールに作用させることなくブラシを退避位置に仮保持することが可能となり、ブラシの仮保持の際のピッグテールの損傷等を抑制することができる。尚、整流子をブラシ保持部の径方向内側に配置させた後には、延出部を係止孔から解除孔へと移動させることでスプリングの非付勢状態を解除し、そのスプリングの付勢力によりブラシを整流子に押圧接触させることができる。
【００１０】
請求項２に記載の発明は、請求項１に記載のモータのブラシ装置において、前記延出部は、前記圧縮コイルスプリングのブラシ側端部が前記コイル部の外周側に延出形成されてなることをその要旨とする。
【００１１】
この発明では、圧縮コイルスプリングの端部をコイル状に形成しないで延出させるだけで延出部を成形することができるため、圧縮コイルスプリングの端部以外の部位に延出部を形成する場合に比べて延出部を容易に形成することができ、ひいては、延出部を有する圧縮コイルスプリングを容易に製造することができる。
【００１２】
請求項３に記載の発明は、請求項１又は２に記載のモータのブラシ装置において、前記延出部は、前記コイル部の外周側に延出するブラシ側端部が内周方向に曲げ戻されて前記ブラシの側面と押圧接触するように形成された押圧部を有することをその要旨とする。
【００１３】
この発明では、押圧部がブラシの側面を押圧する（側圧を付与する）ため、ブラシの反押圧部側の側面をブラシ保持部の内面に押し付けられる。これにより、ブラシの仮保持状態において、ブラシを退避位置で安定して保持することができるので、振動等によりブラシが不用意に脱落してしまうことを抑制できる。また、圧縮コイルスプリングの非付勢状態が解除されてブラシが整流子に押圧接触された状態においては、そのブラシと整流子との摺接により生じるブラシの振動を側圧により抑制することができる。
【００１４】
請求項４に記載の発明は、請求項１〜３のいずれか１項に記載のモータのブラシ装置において、前記解除孔には、前記延出部と前記圧縮コイルスプリングの付勢方向に当接することでそれ以上の前記圧縮コイルスプリングの伸張を規制する規制部が形成されたことをその要旨とする。
【００１５】
この発明では、整流子と摺接するブラシ端部が摩耗限界位置（例えばピッグテールとの接続部分）に到達してしまう前に、圧縮コイルスプリングの伸張を規制部により規制してブラシに対してスプリングの付勢力を与えないようにすることが可能である。そのため、ブラシの摩耗限界を越えた使用を防止することが可能となる。
【００１６】
請求項５に記載の発明は、請求項１〜４のいずれか１項に記載のブラシ装置を有し、該ブラシ装置のブラシが電機子の整流子に摺接して駆動電源が供給され、該駆動電源の供給に基づいて前記電機子が回転駆動されるように構成されたことをその要旨とする。
【００１７】
この発明では、ブラシを仮保持するための別部材を不要としつつも、圧縮コイルスプリングの付勢力をピッグテールに作用させることなくブラシを退避位置に仮保持することが可能なモータを提供することができる。また、ブラシを仮保持するための別部材が例えばブラシボックスの径方向に張り出してしまうことがなく、モータの小型化に寄与できる。
【発明の効果】
【００１８】
従って、上記記載の発明によれば、ブラシ装置及びモータにおいて、ブラシを仮保持するための別部材を不要としつつも、圧縮コイルスプリングの付勢力をピッグテールに作用させることなくブラシを退避位置に仮保持することが可能となる。
【発明を実施するための最良の形態】
【００１９】
（第１実施形態）
以下、本発明を具体化した第１実施形態を図面に従って説明する。
図１に示す本実施形態のモータ１０のハウジング１１は、有底筒状のヨークハウジング１２と、該ヨークハウジング１２の端部開口を塞ぐように取り付けられたカップ状のエンドフレーム１３とから構成されている。ヨークハウジング１２の底部中央、及びエンドフレーム１３の底部中央には、同軸配置された軸受１４，１５がそれぞれ固定されている。それら軸受１４，１５は、ハウジング１１内に配置される電機子２０の回転軸２１の基端部及び先端部をそれぞれ回転可能に支持している。
【００２０】
電機子２０の回転軸２１には、ヨークハウジング１２の内周面に固定された永久磁石１２ａと径方向に対向する電機子コア２２が固定されるとともに、回転軸２１における電機子コア２２より先端側には、該電機子コア２２に巻回された巻線２４と電気的に接続された整流子２３が固定されている。整流子２３の外周面には複数のセグメント２３ａが周方向に並んで設けられており、該整流子２３の周囲にはエンドフレーム１３に支持されたブラシ装置３０が配置されている。ブラシ装置３０は、ハウジング１１に設けられたコネクタ部（図示略）と電気的に接続されており、そのコネクタ部を介して外部の電源装置からブラシ装置３０への給電が可能となっている。
【００２１】
ブラシ装置３０は、図１及び図２に示すように、エンドフレーム１３に固定される略円盤状のベースプレート３１を有し、該ベースプレート３１の中央に形成された貫通孔３１ａには整流子２３の先端部が挿入されている。尚、図２では説明の便宜のため、整流子２３の図示を省略している。ベースプレート３１は絶縁樹脂材にて形成されており、該ベースプレート３１上には径方向に延びるブラシボックス３２が、整流子２３を挟んで径方向で対をなすように２つ固設されている（図１参照）。尚、ブラシボックス３２は真鍮又はリン青銅等の金属板材を打ち抜き加工や曲げ加工を施すことで形成される。
【００２２】
ブラシボックス３２は、ベースプレート３１上面から垂直に延びる一対の側壁３３、及びベースプレート３１上面と平行をなすとともに一対の側壁３３上端を繋ぐ上壁３４を有し、これら一対の側壁３３及び上壁３４からなる周壁とベースプレート３１とから四角筒状のブラシ保持部が構成されている。ブラシボックス３２の整流子２３とは反対側の端部（径方向外側の端部）には、ベースプレート３１の上面に対して垂直をなす底壁３５がブラシボックス３２の各側壁３３及び上壁３４と一体形成されている（図４参照）。また、ブラシボックス３２の整流子２３側端部（径方向内側の端部）には開口部３６が形成されている。
【００２３】
ブラシボックス３２内には、略直方体をなすブラシ４１が径方向に進退可能となるように設けられており、該ブラシ４１はその先端部が開口部３６から突出可能となっている。ブラシ４１先端は開口部３６から突出する状態で整流子２３のセグメント２３ａと当接可能となっている。尚、ブラシ４１は、主に黒鉛（結晶）粉体と、銅粉体とが結合剤にて焼き固められて結合されて形成されている。
【００２４】
ブラシ４１の上面にはピッグテール４２の基端部が埋設されている。ピッグテール４２は多数の銅の細線からなる撚り線を絶縁性の外皮にて被覆してなり、その先端部はベースプレート３１に構成され前記コネクタ部と電気的に接続された給電用ターミナル（図示略）と電気的に接続されている。尚、ブラシボックス３２の上壁３４にはピッグテール４２を導出するための導出孔３４ａが、該上壁３４の開口部３６側端部からブラシ４１の進退方向に沿って切り欠き形成されている。前記電源装置からの電力はピッグテール４２を介してブラシ４１に供給されるようになっている。そして、ブラシ４１が整流子２３のセグメント２３ａに摺接して駆動電源が供給され、該駆動電源の供給により電機子２０の巻線２４に回転磁界が発生し該電機子２０が回転駆動されるようになっている。
【００２５】
図４に示すように、ブラシボックス３２内におけるその底壁３５とブラシ４１との間には、ブラシ４１を整流子２３側に付勢するための圧縮コイルスプリング４３が介装されている。圧縮コイルスプリング４３は、線材が螺旋状に巻回されてなるコイル部４３ａと、そのコイル部４３ａのブラシ４１側端部を該コイル部４３ａの外周側に延出形成してなる直線状の延出部４３ｂを有している（図５参照）。延出部４３ｂは、コイル部４３ａのブラシ４１側端部が該コイル部４３ａの軸線Ｌ側に屈曲されて形成されるとともに、該軸線Ｌと直交するように延びている。圧縮コイルスプリング４３は、コイル部４３ａの整流子２３とは反対側の端部でブラシボックス３２の底壁３５と当接するとともに、整流子２３側の端部でブラシ４１基端と当接しており、ブラシ４１を整流子２３側に付勢可能となっている。
【００２６】
尚、上記のようなブラシ装置３０のブラシ４１の付勢に用いるスプリングとしては、ねじりコイルスプリングと比較して圧縮コイルスプリングの方が適している。なぜならば、ねじりコイルスプリングは、ブラシ４１が整流子２３との摺接により摩耗して短くなるにつれてそのアーム部が移動する（巻き数が変化する）ため、スプリングの付勢力が初期（摩耗前）に比べ変動は大きい。それに対し、圧縮コイルスプリングは、ブラシ４１の摩耗により圧縮状態から伸びていくが線形特性を有しているため付勢力の変動は小さい。こうした理由から、ブラシ４１の付勢にはねじりコイルスプリングよりも圧縮コイルスプリングの方が適している。
【００２７】
ブラシボックス３２の側壁３３の一方（図１において手前側のもの）には、互いに連続する解除孔５１及び係止孔５２が形成されている。解除孔５１及び係止孔５２は、ブラシボックス３２の内部側から外部側にかけて貫通するように形成されており、ブラシボックス３２内に収容された圧縮コイルスプリング４３の延出部４３ｂが挿通可能となっている。
【００２８】
解除孔５１は、側壁３３の開口部３６側端部から底壁３５側に向かってブラシ４１の進退方向に沿って延びている。即ち、解除孔５１はブラシボックス３２の開口部３６側に開放する開放端５１ａを有している。これにより、圧縮コイルスプリング４３をブラシボックス３２内に開口部３６から収容する際に、該スプリング４３の延出部４３ｂを開放端５１ａから解除孔５１内へと挿入可能であり、延出部４３ｂを解除孔５１内に容易に配置可能となっている。係止孔５２は、解除孔５１の底壁３５側端部から上壁３４側に略直角に延びるように形成されている。また、係止孔５２の上壁３４側端部には開口部３６側に窪む保持凹部５２ａが形成されている。尚、係止孔５２と側壁３３の開口部３６側端部との間隔は、ブラシ４１の進退方向寸法よりも大きく設定されている。また、圧縮コイルスプリング４３の延出部４３ｂは、係止孔５２及び解除孔５１からブラシボックス３２外に突出するように構成されている。
【００２９】
上記したようなブラシ装置３０の組み付けの際には、まず、ベースプレート３１に取り付けられたブラシボックス３２の開口部３６に、延出部４３ｂとは反対側から圧縮コイルスプリング４３が挿入される。このとき、圧縮コイルスプリング４３の延出部４３ｂはブラシボックス３２の解除孔５１にその開放端５１ａから挿入される。そして、解除孔５１の底壁３５側端部まで押し込まれた後、係止孔５２に移動され、該係止孔５２の保持凹部５２ａに保持される（図３参照）。これにより、圧縮コイルスプリング４３は圧縮状態で保持される（図４参照）。尚、このとき、延出部４３ｂには線材の弾性により解除孔５１側に戻ろうとする力が生じるが、保持凹部５２ａとの係止により延出部４３ｂは安定して保持される。
【００３０】
次に、ブラシ４１がブラシボックス３２の開口部３６から圧縮コイルスプリング４３と当接するまで挿入される。このとき、圧縮コイルスプリング４３はブラシ４１に対して非付勢状態となっているため、図３及び図４に示すように、ブラシ４１はその先端が開口部３６から若干内に入り込んだ状態で保持される。つまり、ブラシ４１は整流子２３と非接触となる退避位置にある状態で仮保持される。
【００３１】
このようにブラシ４１が退避位置に仮保持されたブラシ装置３０が、前記エンドフレーム１３に取り付けられた後、電機子２０はその整流子２３がブラシ装置３０の中心、即ち、ブラシボックス３２の径方向内側に位置するように取り付けられる。このとき、ブラシ４１は退避位置に仮保持されているため、整流子２３とブラシ４１とが干渉することなく電機子２０を組み付けることができる。電機子２０の組み付け後、係止孔５２から突出する圧縮コイルスプリング４３の延出部４３ｂをベースプレート３１側に押下して解除孔５１に移動させる。すると、延出部４３ｂと係止孔５２との係止が解除されて圧縮コイルスプリング４３の圧縮状態の保持が解除される。これにより、圧縮コイルスプリング４３はブラシ４１を整流子２３側に付勢し、ブラシ４１は整流子２３のセグメント２３ａに押圧接触される。
【００３２】
このように、本実施形態のブラシ装置３０では、圧縮コイルスプリング４３の延出部４３ｂをブラシボックス３２の係止孔５２に係止させることで、組み付けの際のブラシ４１の仮保持が可能となっている。これにより、ブラシ４１を仮保持するための別部材が不要となり、部品点数の増加が抑制されるようになっている。また、ブラシ４１の仮保持の際に、圧縮コイルスプリング４３の付勢力がピッグテール４２に作用することが防止され、その仮保持の際のピッグテール４２の損傷やブラシ４１からの抜けが防止されるようになっている。また、整流子２３の配置後には、圧縮コイルスプリング４３の延出部４３ｂを押下して係止孔５２から解除孔５１へと移動させるだけで容易にブラシ４１の仮保持を解除することが可能となっている。
【００３３】
次に、本実施形態の特徴的な作用効果を記載する。
（１）本実施形態では、圧縮コイルスプリング４３はそのコイル部４３ａの外周側に延出形成された延出部４３ｂを有し、ブラシ保持部を構成するブラシボックス３２の側壁３３（周壁）には、ブラシボックス３２の内部側から外部側にかけて貫通し、ブラシ４１が整流子２３と非接触となる退避位置にある状態で圧縮コイルスプリング４３をブラシ４１に対して非付勢状態とすべく延出部４３ｂと係止可能な係止孔５２と、ブラシボックス３２の内部側から外部側にかけて貫通するとともに係止孔５２と連続して整流子２３側に向けて延び、延出部４３ｂが係止孔５２から移動されることで圧縮コイルスプリング４３の非付勢状態を解除する解除孔５１とが形成される。そのため、組み付けの際に、ブラシ保持部を構成するブラシボックス３２内に収容された圧縮コイルスプリング４３自体の延出部４３ｂをブラシボックス３２の係止孔５２に係止させることで、該スプリングを同ブラシボックス３２内のブラシ４１に対して非付勢状態としてブラシ４１を退避位置に仮保持することが可能となる。これにより、ブラシ４１を仮保持するための別部材が不要となるため、部品点数の増加を抑えることができ、また、ブラシ装置３０の径方向の大型化を防ぐことが可能となる。また、ブラシ４１の仮保持の際に圧縮コイルスプリング４３の付勢力がブラシ４１から延びるピッグテール４２に作用することが防止されるため、ブラシ４１の仮保持の際のピッグテール４２の損傷等を抑制することができる。尚、整流子２３をブラシボックス３２の径方向内側に配置させた後には、延出部４３ｂを係止孔５２から解除孔５１へと移動させることで圧縮コイルスプリング４３の非付勢状態を解除し、その付勢力によりブラシ４１を整流子２３に押圧接触させることができる。
【００３４】
（２）本実施形態では、圧縮コイルスプリング４３の延出部４３ｂは、コイル部４３ａのブラシ４１側端部がそのコイル部４３ａの外周側に延出形成されてなる。そのため、コイル部４３ａの端部をコイル状に形成しないで連続して延出させるだけで延出部４３ｂを成形することができるため、圧縮コイルスプリング４３の端部以外の部位に延出部を形成する場合に比べて延出部４３ｂを容易に形成することができ、ひいては、圧縮コイルスプリング４３を容易に製造することができる。
【００３５】
（３）本実施形態では、ブラシ４１を仮保持するための別部材を不要としつつも、ブラシ４１を退避位置に仮保持する際のピッグテール４２の損傷を抑制することができるモータ１０を提供することができる。また、ブラシ４１を仮保持するための別部材が例えばブラシボックス３２の径方向に張り出してしまうことがなく、モータ１０の小型化に寄与できる。
【００３６】
（４）本実施形態では、係止孔５２には開口部３６側に窪む保持凹部５２ａが形成され、ブラシ４１の仮保持状態において圧縮コイルスプリング４３の延出部４３ｂは保持凹部５２ａに保持される。そのため、延出部４３ｂと係止孔５２との係止状態を安定して保持させることができ、その結果、ブラシ４１を退避位置に安定して仮保持させることができる。
【００３７】
（５）本実施形態では、解除孔５１はブラシボックス３２の開口部３６側に開放する開放端５１ａを有するため、圧縮コイルスプリング４３の延出部４３ｂを開放端５１ａから解除孔５１内へと挿入可能となり、延出部４３ｂを解除孔５１内に容易に配置させることができる。
【００３８】
（６）本実施形態では、係止孔５２は解除孔５１から上壁３４側に連続して形成される。そのため、係止孔５２に係止された延出部４３ｂをベースプレート３１側に押下することで解除孔５１へと移動させることができ、ブラシ４１の仮保持を容易に解除することが可能となる。
【００３９】
（７）本実施形態では、延出部４３ｂが係止孔５２からブラシボックス３２の外側に突出するように構成される。そのため、係止孔５２に係止された延出部４３ｂに対しブラシボックス３２の外から容易に操作可能となり、延出部４３ｂを係止孔５２から容易に移動させることができる。
【００４０】
（８）本実施形態では、ブラシボックス３２において導出孔３４ａが上壁３４に形成され、係止孔５２及び解除孔５１が側壁３３に形成される。即ち、導出孔３４ａと、係止孔５２及び解除孔５１とが、ブラシボックス３２における別の面に設けられる。そのため、係止孔５２と延出部４３ｂとの係止を解除させる際にピッグテール４２が邪魔にならないように構成可能であり、ブラシ４１の仮保持をより容易に解除させることができる。また、導出孔３４ａ、係止孔５２及び解除孔５１の形成スペースを容易に確保することができる。
【００４１】
（第２実施形態）
以下、本発明を具体化した第２実施形態を図面に従って説明する。
本実施形態のブラシ装置６０では、図６〜図９に示すように、圧縮コイルスプリング４３の延出部４３ｂがブラシ４１の側面４１ａを押圧接触する押圧部４３ｃを有する点で、前記第１実施形態と異なる。従って、以下には、前記第１実施形態と同様の構成については同一の符号を付して詳細な説明を省略する。
【００４２】
圧縮コイルスプリング４３の延出部４３ｂは、反コイル部４３ａ側に屈曲するとともにコイル部４３ａの内周方向に曲げ戻されるように延び、その曲げ戻された部分の先端部にはブラシ４１における側壁３３と対向する側面４１ａと接触可能な押圧部４３ｃが形成されている。押圧部４３ｃは、線材端部がブラシ４１から離間するように湾曲しており、その湾曲部分でブラシ４１の側面４１ａと点接触するようになっている。押圧部４３ｃは線材の弾性によりブラシ４１の側面４１ａと押圧接触し、これにより、ブラシ４１はブラシボックス３２の側壁３３に押し付けられるようになっている。尚、延出部４３ｂは、押圧部４３ｃを含むその全体が同一平面に沿って形成されている。
【００４３】
このようなブラシ装置６０では、図７及び図８に示すように、コイル部４３ａから径方向に延びる延出部４３ｂの直線部分がブラシボックス３２の係止孔５２と係止されることで、圧縮コイルスプリング４３がブラシ４１に対して非付勢状態で保持され、ブラシ４１が退避位置で仮保持される。この仮保持状態において、ブラシ４１は押圧部４３ｃによりブラシボックス３２の側壁３３に押し付けられているため、ブラシ４１が退避位置で安定して保持され、ブラシ４１がブラシボックス３２の開口部３６から抜け出てしまうことが抑制されるようになっている。
【００４４】
一方、整流子２３の配置後、延出部４３ｂと係止孔５２との係止が解除されることでブラシ４１の仮保持状態が解除され、圧縮コイルスプリング４３の付勢力によりブラシ４１が整流子２３に押圧接触される（図６参照）。このブラシ４１の仮保持が解除された状態においても、押圧部４３ｃはブラシ４１の側面４１ａを押圧し、ブラシ４１はブラシボックス３２の側壁３３に押し付けられている。そのため、ブラシ４１と整流子２３との摺接により生じるブラシ４１の振動が抑制されるようになっている。
【００４５】
本実施形態のブラシ装置６０は、前記第１実施形態のものと比べて若干の変更点はあるが、前記第１実施形態で記載した作用効果を有している。それに加え、本実施形態のブラシ装置６０では、延出部４３ｂの押圧部４３ｃがブラシ４１の側面４１ａを押圧するため、ブラシ４１の押圧部４３ｃ側とは反対側の側面をブラシボックス３２の内面に押し付けられる。これにより、ブラシ４１の仮保持状態において、ブラシ４１を退避位置で安定して保持することができるので、振動等によりブラシ４１が不用意に脱落してしまうことを抑制できる。また、圧縮コイルスプリング４３の非付勢状態が解除されてブラシ４１が整流子２３に押圧接触された状態においては、そのブラシ４１と整流子２３との摺接による振動を抑制することができる。
【００４６】
（第３実施形態）
以下、本発明を具体化した第３実施形態を図面に従って説明する。
本実施形態のブラシ装置７０では、図１０に示すように、ブラシボックス３２の解除孔５１に、圧縮コイルスプリング４３の伸張を規制する規制部としての段差部５１ｂが形成された点で、前記第１実施形態と異なる。従って、以下には、前記第１実施形態と同様の構成については同一の符号を付して詳細な説明を省略する。
【００４７】
ブラシボックス３２の解除孔５１は、その長手方向中間部において段差部５１ｂを有している。解除孔５１は、係止孔５２側の端部からブラシ４１の進退方向に延びるとともに、段差部５１ｂを経てブラシボックス３２の上壁３４側にＬ字状にずれ、そこから更にブラシボックス３２の側壁３３における開口部３６側の端部まで延びている。この段差部５１ｂは、延出部４３ｂと圧縮コイルスプリング４３の付勢方向に当接可能となっている。
【００４８】
ブラシ４１は、整流子２３と摺接する摺接端部（先端部）４１ｂが該整流子２３との摺接により摩耗する。このとき、ブラシ４１は圧縮コイルスプリング４３により整流子２３側に付勢されるため、摩耗に伴いブラシ４１の進退方向長さが短くなる。ブラシ４１が短くなるにつれて圧縮コイルスプリング４３は次第に伸び、それに伴い圧縮コイルスプリング４３の延出部４３ｂはブラシボックス３２の開口部３６側に移動する。そして、延出部４３ｂは、ブラシ４１の摺接端部４１ｂが該ブラシ４１の摩耗限界位置に到達する前に、解除孔５１の段差部５１ｂと当接する。これにより、圧縮コイルスプリング４３の伸張が規制されて該スプリング４３はブラシ４１に対して非付勢状態となる。尚、ブラシ４１の摩耗限界位置は、例えばピッグテール４２の接続位置を基準として設定される。
【００４９】
本実施形態のブラシ装置７０は、前記第１実施形態のものと比べて若干の変更点はあるが、前記第１実施形態で記載した作用効果を有している。それに加え、本実施形態のブラシ装置７０では、ブラシ４１の摺接端部４１ｂが摩耗限界位置に到達してしまう前に、圧縮コイルスプリング４３の伸張を規制部としての段差部５１ｂにより規制し、ブラシ４１に対して圧縮コイルスプリング４３の付勢力を与えないようにすることが可能である。そのため、ブラシ４１の摩耗限界を越えた使用を防止することが可能となる。
【００５０】
尚、本発明の各実施形態は、以下のように変更してもよい。
・上記第１及び第３各実施形態では、延出部４３ｂは、コイル部４３ａのブラシ４１側端部を該コイル部４３ａの外周側に延出形成してなるが、これ以外に例えば、図１１に示すように、コイル部４３ａのブラシ４１側端部以外の部位から該コイル部４３ａの外周側に延出形成してなる延出部４３ｄとしてもよい。尚、延出部４３ｂの形成位置は、ブラシ側端部に近いほど係止孔５２との係止による圧縮コイルスプリング４３の圧縮状態を好適に保持することが可能となる。
【００５１】
上記第２実施形態において、図１２に示すように、解除孔５１と連続して係止孔５２と同じ側（上壁３４側）に切り欠き形成された挿入孔５３をブラシボックス３２の側壁３３に設けてもよい。ブラシ４１を仮保持させる際には、コイル部４３ａから径方向に延びる延出部４３ｂの直線部分が係止孔５２に係止されるとともに、押圧部４３ｃが挿入孔５３に挿入され、該押圧部４３ｃはブラシ４１の側面４１ａに側圧を付与するようになっている。また、ブラシ４１の仮保持を解除する際には、押圧部４３ｃを含む延出部４３ｂ全体を解除孔５１に移動させ、圧縮コイルスプリング４３のブラシ４１に対する非付勢状態を解除する。このような構成によれば、ブラシ４１を仮保持させる、又は仮保持を解除する際の押圧部４３ｃと解除孔５１との引っ掛かりがなくなるため、係止孔５２と延出部４３ｂとの係止及び係止解除をスムーズにすることができる。
【００５２】
尚、図１２に示すように、上壁３４の導出孔３４ａの開口部３６側端部にピッグテール４２の抜け止め用の一対の突起３４ｂを設けてもよい。
・上記第２実施形態では、コイル部４３ａから径方向に延びる延出部４３ｂの直線部分がブラシボックス３２の係止孔５２と係止される構成としたが、これ以外に例えば、押圧部４３ｃを含む延出部４３ｂ全体が係止孔５２に係止される構成としてもよい。
【００５３】
・上記第２実施形態では、押圧部４３ｃがブラシ４１における側壁３３と対向する側面４１ａと接触するように構成されたが、これ以外に例えば、ブラシ４１における上壁３４と対向する側面（上面）と接触するように構成してもよい。
【００５４】
・上記各実施形態では、延出部４３ｂはコイル部４３ａのブラシ４１側端部が該コイル部４３ａの軸線Ｌ側に屈曲されて形成されたが、ブラシ４１側端部をコイル部４３ａの軸線Ｌとは反対側に屈曲させて形成してもよい。
【００５５】
・上記第３実施形態では、解除孔５１は、段差部５１ｂから開口部３６側が上壁３４側にずれるように構成されたが、ベースプレート３１側にずれるように構成してもよい。
・上記第３実施形態では、解除孔５１には規制部としての段差部５１ｂが形成されたが、規制部の構成としてはこれに限定されるものではなく、例えば解除孔５１を開口部３６側に開放しない構成とし、該解除孔５１の係止孔５２とは反対側の端部（開口部３６側端部）で延出部４３ｂと当接するように構成してもよい。
【００５６】
・上記各実施形態では、圧縮コイルスプリング４３の延出部４３ｂが係止孔５２及びから突出可能に構成したが、延出部４３ｂの径方向外側端部が係止孔５２内及び解除孔５１内に配置可能となるように構成してもよい。
【００５７】
・上記各実施形態では、解除孔５１は側壁３３の開口部３６側端部に開放端５１ａを有したが、特にこれに限定されるものではない。例えば、側壁３３の底壁３５側端部に開放端を形成し、圧縮コイルスプリング４３をブラシボックス３２内に組み付ける際にはブラシボックス３２の径方向外側端部（底壁３５側端部）を開口させて、その開口端部から圧縮コイルスプリング４３をブラシボックス３２内に挿入する構成としてもよい。
【００５８】
・上記各実施形態では、係止孔５２には保持凹部５２ａが形成されたが、特にこれに限定されるものではなく、例えば保持凹部５２ａを形成せずに係止孔５２を解除孔５１から上壁３４側に直線上に延びる構成としてもよい。
【００５９】
・上記各実施形態では、係止孔５２は解除孔５１から上壁３４側に延びるように形成されたが、ベースプレート３１側に延びるように形成してもよい。
・上記各実施形態では、解除孔５１及び係止孔５２は側壁３３に形成されたが、上壁３４又はベースプレート３１における上壁３４と対向する箇所に形成してもよい。
【００６０】
・上記各実施形態では、導出孔３４ａはブラシボックス３２の上壁３４に形成されたが、これ以外に例えば、側壁３３に形成してもよい。
・上記各実施形態では、ブラシ４１及び圧縮コイルスプリング４３を保持するブラシボックス３２は２つ設けられたが、３つ以上設けてもよい。
【００６１】
・上記各実施形態では、ブラシボックス３２は上壁３４と一対の側壁３３とから断面コ字状に形成されたが、これ以外に例えば、断面Ｕ字状に形成してもよい。
・上記各実施形態では、ブラシボックス３２は、ベースプレート３１とは別の部材で構成されたが、ベースプレート３１と一体に絶縁樹脂材にて構成してもよい。
【図面の簡単な説明】
【００６２】
【図１】第１実施形態におけるモータの断面図。
【図２】第１実施形態におけるブラシ装置を部分的に示す斜視図。
【図３】第１実施形態におけるブラシ仮保持状態のブラシ装置を部分的に示す斜視図。
【図４】第１実施形態におけるブラシ仮保持状態のブラシ装置を部分的に示す模式平面図。
【図５】第１実施形態における圧縮コイルスプリングの斜視図。
【図６】第２実施形態におけるブラシ装置を部分的に示す斜視図。
【図７】第２実施形態におけるブラシ仮保持状態のブラシ装置を部分的に示す斜視図。
【図８】第２実施形態におけるブラシ仮保持状態のブラシ装置を部分的に示す模式平面図。
【図９】第２実施形態における圧縮コイルスプリングの斜視図。
【図１０】第３実施形態におけるブラシ装置を部分的に示す斜視図。
【図１１】別例における圧縮コイルスプリングの斜視図。
【図１２】別例におけるブラシ装置を部分的に示す斜視図。
【符号の説明】
【００６３】
１０…モータ、２０…電機子、２３…整流子、３０，６０，７０…ブラシ装置、３１…ベースプレート、３２…ブラシ保持部を構成するブラシボックス、４１…ブラシ、４１ａ…側面、４３…圧縮コイルスプリング、４３ａ…コイル部、４３ｂ，４３ｄ…延出部、４３ｃ…押圧部、５１…解除孔、５１ｂ…規制部としての段差部、５２…係止孔。
【図１】
2009219279.tif 000003
【図２】
2009219279.tif 000004
【図３】
2009219279.tif 000005
【図４】
2009219279.tif 000006
【図５】
2009219279.tif 000007
【図６】
2009219279.tif 000008
【図７】
2009219279.tif 000009
【図８】
2009219279.tif 000010
【図９】
2009219279.tif 000011
【図１０】
2009219279.tif 000012
【図１１】
2009219279.tif 000013
【図１２】
2009219279.tif 000014